(57)【要約】【課題】押しボタンを押圧操作してスイッチの状態切り換えを行うスイッチの操作機構に関し、配線基板上に搭載された表面実装型のプッシュスイッチの半田付け固定部分への過度な操作力の影響が軽減できるものを提供する。【解決手段】機器の押しボタン３１において、押圧部３３の後端面３３Ａをプッシュスイッチ３の操作部２に当接状態で配すると共に、その下方領域部分を、上記プッシュスイッチ３が装着されている配線基板２１の前端面に対し、プッシュスイッチ３の操作ストロークと同等もしくはそれに若干の寸法を加えた距離で対向配置したものとし、操作時に上記後端面３３Ａを配線基板２１の前端面に当接させて押しボタン３１の後方への移動規制を行い、プッシュスイッチ３の半田付け固定部分に過度な操作力が加わらないようにする。【選択図】図１
2005108744.tif 000002
【特許請求の範囲】
【請求項１】
基板面に対し平行方向に押圧操作する表面実装型のスイッチが配線基板上に搭載され、そのスイッチの操作部を、前後動する押しボタンで後方側に向けて押圧するスイッチの操作機構であって、上記押しボタンに、後方側への移動距離対策構造が構成されているスイッチの操作機構。
【請求項２】
押しボタンは、スイッチの操作部を押すための押圧部下方に移動距離規制用の端面部を備え、この端面部が、当該スイッチを搭載している配線基板の端面に当接して上記押しボタンが停止状態となる請求項１記載のスイッチの操作機構。
【請求項３】
押しボタンの端面部が、配線基板の端面に当接している状態で、その端面部の下方に設けた受け部が、上記配線基板の下面側に位置する請求項２記載のスイッチの操作機構。
【請求項４】
押しボタンの端面部と配線基板の端面との当接位置が、厚み方向で当該押しボタンの中央位置よりも下方位置に設定された請求項２記載のスイッチの操作機構。
【発明の詳細な説明】
【技術分野】
【０００１】
本発明は、各種電子機器の入力操作部等に使用され、機器の押しボタンを押圧操作して機器内に配設してあるスイッチの状態切り換えを行う構造となされたスイッチの操作機構に関するものである。
【背景技術】
【０００２】
各種電子機器は、入力操作部を備えるものが多く、その入力操作部への入力形態としても、押しボタンタイプのものが好まれて使用されている。
【０００３】
この押しボタンタイプの入力操作部は、通常、機器筐体に移動可能に保持された押しボタンと、その押しボタンの後方位置に配された自己復帰型のプッシュスイッチとで構成される。
【０００４】
上記構成とされた従来のスイッチ操作機構について、図５および図６を用いて説明する。
【０００５】
図５は従来のスイッチの操作機構の上面図、図６は同部分断面側面図であり、同図において、１は、機器の配線基板（以下、基板１と記載する。）であり、その端部側方向に操作部２を向けて自己復帰型のプッシュスイッチ３（以下、スイッチ３と記載する。）が装着されて搭載されている。
【０００６】
このスイッチ３は、基板１面に水平方向に操作部２を押し込み操作して作動させるタイプのもので、ケース４から導出された接続端子５は、基板１の配線部（図示せず）に半田付け固定されている。
【０００７】
そして、上記のように基板１に搭載される各種電子部品は、機器の小形軽量化に伴い、表面実装型のものが主流になり、上記スイッチ３も接続端子５が基板１面に水平に延出された表面実装型のものとなっている。
【０００８】
なお、図５においては、接続端子５の半田付け部分を斜線部で示す。
【０００９】
そして、上記ケース４上は、カバー６で覆われ、ケース４とカバー６とで構成されるケース４の内部空間部に接点部（図示せず）が収納されている。
【００１０】
以上のように構成されたスイッチ３は、ケース４から突出状態に配された操作部２を後方側に押し込み操作すると、操作部２に一体の駆動部（図示せず）が、上記ケース４内の接点部の状態を切り換え可能なように構成されている。
【００１１】
そして、スイッチ３の操作部２の位置に合わせて、機器筐体などで前後動可能に保持された押しボタン１０が配置され、押しボタン１０の後面は、スイッチ３の操作部２前端面に当接している。
【００１２】
従来のスイッチの操作機構は以上のように構成され、図中に矢印に示すように、押しボタン１０を後方側へ押し込み操作すると、押しボタン１０が後方に移動し、基板１面に対して水平で後方側に向かう操作力が操作部２に加わって操作部２が押し込まれ、スイッチ３の接点部の状態がＯＮ状態に切り換わる。
【００１３】
そして、上記操作力を除くと、スイッチ３の接点部がＯＦＦ状態に自己復帰すると共に、その復帰力で、スイッチ３の操作部２は前方側に押し戻され、これに伴い押しボタン１０も押し込み操作前の位置まで操作部２により押し戻されるものであった。
【００１４】
なお、この出願の発明に関連する先行技術文献情報としては、例えば、特許文献１が知られている。
【特許文献１】実開平５−１１２６号公報
【発明の開示】
【発明が解決しようとする課題】
【００１５】
上記従来のスイッチの操作機構は、簡単な構成で、かつ操作性なども良好であるため、操作頻度の高い箇所などに使用されることも多く、特にスイッチ３として表面実装型のものを用いて構成する場合には、繰り返して押し込み操作されることを前提として、スイッチ３を基板１にしっかりと固定状態に維持させなければならず、その接続端子５の半田付け固定状態の管理が重要となる。
【００１６】
しかしながら、当該操作機構を備えた機器において、機器自身を落下させてしまう等により、押しボタン１０に過度な操作力が加わることも考慮され、その過度な操作力が加わると、上記接続端子５の半田付け固定部分に影響が及ぶこともあった。
【００１７】
本発明は、このような従来の課題を解決するものであり、不慮の場合を含んで、配線基板上に搭載された表面実装型のプッシュスイッチの半田付け固定部分への過度な操作力の影響が軽減できるスイッチの操作機構を提供することを目的とする。
【課題を解決するための手段】
【００１８】
上記目的を達成するために本発明は、以下の構成を有するものである。
【００１９】
本発明の請求項１に記載の発明は、基板面に対し平行方向に押圧操作する表面実装型のスイッチが配線基板上に搭載され、そのスイッチの操作部を、前後動する押しボタンで後方側に向けて押圧するスイッチの操作機構であって、上記押しボタンに、後方側への移動距離対策構造が構成されているスイッチの操作機構としたものであり、押しボタンは、後方側に設定距離のみしか移動しないものとなるので、不慮の場合を含んで、配線基板上に半田付け固定された表面実装型のプッシュスイッチに過度な操作力が加わり難く、その半田付け固定部分への影響が軽減できるものが得られるという作用を有する。
【００２０】
請求項２に記載の発明は、請求項１記載の発明において、押しボタンは、スイッチの操作部を押すための押圧部下方に移動距離規制用の端面部を備え、この端面部が、当該スイッチを搭載している配線基板の端面に当接して上記押しボタンが停止状態となるものであり、他の部材を用いず簡素かつ省スペースで安価に押しボタンの後方側への移動距離対策構造を有するものを構成できるという作用を有する。
【００２１】
請求項３に記載の発明は、請求項２記載の発明において、押しボタンの端面部が、配線基板の端面に当接している状態で、その端面部の下方に設けた受け部が、上記配線基板の下面側に位置するものであり、押しボタンへの操作力が斜め上方に向いて加わった際に、受け部が配線基板下面で移動規制されるため、プッシュスイッチの半田付け固定部分にも、上方に向かう過度な力が加わり難くできるという作用を有する。
【００２２】
請求項４に記載の発明は、請求項２記載の発明において、押しボタンの端面部と配線基板の端面との当接位置が、厚み方向で当該押しボタンの中央位置よりも下方位置に設定されたものであり、押しボタンは、基板の端面と当接した後、その当接部分を中心線としてスイッチを基板に押さえ込む側に若干傾倒するようになるため、表面実装型のスイッチの半田付け固定部分に対して上方への引き剥がし力を加えないようにできるという作用を有する。
【発明の効果】
【００２３】
以上のように本発明によれば、配線基板上に半田付け固定された表面実装型のプッシュスイッチに過度な操作力が加わり難く、その半田付け固定部分への影響を軽減できるスイッチの操作機構を実現できるという有利な効果が得られる。
【発明を実施するための最良の形態】
【００２４】
以下、本発明の実施の形態について、図１〜図４を用いて説明する。
【００２５】
なお、従来の技術の項で説明した構成と同一構成の部分には同一符号を付して、詳細な説明を省略する。
【００２６】
（実施の形態）
図１は本発明の一実施の形態におけるスイッチの操作機構の部分断面側面図、図２は同上面図であり、同図において、２１は、端部に切り欠き２１Ａが設けられた機器の配線基板（以下、基板２１と記載する。）であり、この基板２１上には、従来の技術の項で説明した表面実装型のプッシュスイッチ３（以下、スイッチ３と記載する。）が半田付け固定されている。
【００２７】
そのスイッチ３の配置状態としては、操作部２が、当該基板２１の切り欠き２１Ａ端部より前方側に突出するように、切り欠き２１Ａ位置に合わせられて接続端子５を当該基板２１上の配線部（図示せず）に半田付け固定されて搭載されている。
【００２８】
なお、当該基板２１は、剛性を備えたガラスエポキシやフェノールを基材とした所定厚みのもので構成され、図示は省略するが、筐体などに強固に位置決め固定されている。
【００２９】
また、図２においては、スイッチ３の接続端子５における半田付け部分を斜線部で示している。
【００３０】
そして、３１は、前方広幅部３２の中央位置から後方側に突出する押圧部３３を備えた上面視で“凸”字型の形状をなす機器の押しボタンであり、この押しボタン３１は、基板２１面に対し水平で、図中での左右方向に相当する前後方向のみに機器の筐体などで移動規制されている。
【００３１】
そして、押しボタン３１の押圧部３３の後端面３３Ａは、スイッチ３の操作部２前端面に当接している。
【００３２】
また、上記押しボタン３１の非操作状態では、図１に示すように、押圧部３３の後端面３３Ａにおける下方領域部は、基板２１の切り欠き２１Ａ前端面に対向するよう配置されている。
【００３３】
その間の対向距離は、スイッチ３の操作ストロークと同等もしくはそれに若干の寸法を加えた距離で設定されている。
【００３４】
さらに、押しボタン３１の押圧部３３下方位置には、その後端面３３Ａよりも基板２１面に水平に後方側に突出形成された受け部３４を備えている。
【００３５】
また、前方広幅部３２と押圧部３３間の中間段部端面３５Ａは、押しボタン３１の非操作状態では、上記押圧部３３と基板２１間の距離と同等もしくはそれに若干の寸法を加えた距離で、基板２１の前端面に対向して位置している。
【００３６】
本実施の形態によるスイッチの操作機構は、以上のように構成されるものである。
【００３７】
次に、その動作について説明すると、筐体などから突出している押しボタン３１を基板２１面に対し水平後方側に押し込み操作すると、押しボタン３１は筐体などで規制されつつ後方側（図中での左側方向）に水平移動し、これに伴い押圧部３３が、当接している操作部２に後方への操作力を与えて操作部２を押し込んでいく。
【００３８】
そして、操作部２が、当該スイッチ３の設定されたストローク距離押し込まれた際に、スイッチ３の接点部の状態がＯＮ状態に切り換わる。
【００３９】
それと共に、基板２１の切り欠き２１Ａ前端面に対し、図３の操作状態を示す部分断面側面図および図４の同上面図に示すように、押圧部３３の後端面３３Ａの下方領域部分が当接状態となり、押しボタン３１は停止する。
【００４０】
そして、両者が当接した後、さらなる後方への操作力が押しボタン３１に加わっても、押しボタン３１は後方に移動せず、スイッチ３の操作部２に過度な操作力が加わらないようにできるため、スイッチ３の半田付け固定部分への影響も低減できて当該半田付け固定部分が保護できる。
【００４１】
なお、図３にも示したように、基板２１の切り欠き２１Ａの前端面と押圧部３３の後端面３３Ａとの当接位置は、押しボタン３１において、厚み方向側で、押しボタン３１の中央よりも下方位置で当接状態になる構成が好ましい。
【００４２】
その配置関係であれば、押しボタン３１に若干のガタツキ等があっても、押しボタン３１は、固定された基板２１の切り欠き２１Ａ前端面と当接して停止後、その当接部分を中心部分としてスイッチ３を基板２１に押さえ込む側に若干傾倒することとなり、表面実装型のスイッチ３の半田付け固定部分における耐性の少ない方向側、つまり上方への引き剥がし力を加えないようにできるためである。
【００４３】
そして、上記押しボタン３１の停止状態時に、押圧部３３下方に設けられた受け部３４は、基板２１の下面領域内に位置している。
【００４４】
この受け部３４は、例えば斜め上方側に向けて押しボタン３１が操作され、押しボタン３１が斜め上方気味に移動した際に、受け部３４上面が基板２１の下面に当接することにより、押しボタン３１の上方側への移動規制を行い、上方に向かう余分な操作力がスイッチ３に加わらないように規制するために配したものである。
【００４５】
このとき、押しボタン３１の水平押圧状態に影響を及ぼさないように、図３にも示したように、受け部３４上面は、基板２１の下面から所定距離離れた状態となるよう高さ位置を設定することが重要である。
【００４６】
また、上記押しボタン３１の停止状態時に、中間段部端面３５Ａは、図４に示すように、基板２１の前端面と所定間隔を保っている。
【００４７】
この中間段部端面３５Ａは、押しボタン３１のガタツキ等による左右方向への傾倒時に、基板２１の前端面に当接してスイッチ３の半田付け固定部分を保護する機能を果たす。
【００４８】
そして、上記押しボタン３１への操作力を除くと、スイッチ３の接点部がＯＦＦ状態に自己復帰する力で、スイッチ３の操作部２は前方側に押し戻され、これに伴い押しボタン３１も押し込み操作前の位置まで操作部２を介して押し戻される。
【００４９】
このように本実施の形態によるスイッチの操作機構は、当該スイッチ３が搭載される剛体製の基板２１端面を活用して、押しボタン３１の後方への移動距離規制が行えるよう構成したものである。
【００５０】
そして、当該構成の場合には、通常筐体などに強固に固定される剛体からなる基板２１、それに装着固定されるスイッチ３、このスイッチ３を操作するための押しボタン３１という必要最低限の部材を組み合わせるのみで、簡素かつ省スペースで安価に構成することができる。
【００５１】
なお、上記には、受け部３４を備えた押しボタン３１を例として説明したが、受け部３４をなくしたものとしても、不慮の場合を含んで押しボタン３１の後方への位置規制がなされるので、スイッチ３の半田付け固定部分が保護できるものにできる。
【００５２】
また、上記構成のように剛体からなる基板２１端面をストッパーとして活用する以外に、筐体や他の構成部材に、適宜設定した押しボタンの押圧部を当接させて停止させる構造としても同様の効果が得られるが、組み合わせ部材の数が増えるため、組み合わせ時の誤差などを考慮すると共に、スイッチ３に上方に向く力が加わらない構成とすることが好ましい。
【００５３】
さらに、スイッチ３への上方に向く力を規制するための受け部３４の配設箇所としては、押しボタン３１の押圧部３３以外に、中間段部端面３５Ａの下方位置に設けることも可能である。
【産業上の利用可能性】
【００５４】
本発明によるスイッチの操作機構は、不慮の場合を含んで、配線基板上に搭載された表面実装型のプッシュスイッチに過度な操作力が加わり難く、その半田付け固定部分への影響を軽減できるものが得られるという効果を有し、各種電子機器において、スイッチを用いた入力操作部を構成する際等に有用である。
【図面の簡単な説明】
【００５５】
【図１】本発明の一実施の形態によるスイッチの操作機構の部分断面側面図
【図２】同上面図
【図３】同操作状態を示す部分断面側面図
【図４】同上面図
【図５】従来のスイッチの操作機構の上面図
【図６】同部分断面側面図
【符号の説明】
【００５６】
２  操作部
３  プッシュスイッチ
５  接続端子
２１  配線基板
２１Ａ  切り欠き
３１  押しボタン
３２  前方広幅部
３３  押圧部
３３Ａ  後端部
３４  受け部
３５Ａ  中間段部端面
【図１】
2005108744.tif 000003
【図２】
2005108744.tif 000004
【図３】
2005108744.tif 000005
【図４】
2005108744.tif 000006
【図５】
2005108744.tif 000007
【図６】
2005108744.tif 000008